(57)【要約】【課題】脚立の支柱に簡単かつ短時間に着脱でき、長時間使用しても外れることなく確実に取り付けることができ、脚立の支柱の下部に取り付けて、室内の床、壁等に汚れや傷が付くのを防止できる脚立用カバーを提供する。【解決手段】本発明の脚立用カバーは、上部が開口され、支柱Ｓの下部が嵌合され収容されるカバー本体１と、カバー本体１の開口縁部に、開口側に突出して形成された変形可能な係止片２とを有し、係止片２は、カバー本体１内に支柱Ｓの下部を収容することにより、下側に湾曲して変形され支柱Ｓを係止する。【選択図】　図２
2004076322.tif 000002
【特許請求の範囲】
【請求項１】
脚立の支柱に取り付けられる脚立用カバーにおいて、
上部が開口され、前記支柱の下部が嵌合され収容されるカバー本体と、
前記カバー本体の開口縁部に、開口側に突出して形成された変形可能な係止片と、を有し、
前記係止片は、前記カバー本体内に前記支柱の下部を収容することにより、下側に湾曲して変形され前記支柱を係止する、
ことを特徴とする脚立用カバー。
【請求項２】
前記カバー本体は、水平方向に対して所定角度に傾斜して形成されていることを特徴とする請求項１に記載の脚立用カバー。
【請求項３】
前記係止片の基端部は、その先端部よりも幅広に形成されていることを特徴とする請求項１又は２に記載の脚立用カバー。
【請求項４】
前記カバー本体の表面の全部又は一部に緩衝部材が取り付けられていることを特徴とする請求項１乃至３のいずれか１つの項に記載の脚立用カバー。
【請求項５】
前記カバー本体の底面に滑り防止部材が取り付けられていることを特徴とする請求項１乃至４のいずれか１つの項に記載の脚立用カバー。
【発明の詳細な説明】
【０００１】
【発明の属する技術分野】
本発明は脚立用カバーに関し、特に、室内作業の際に脚立の支柱に取り付けて、室内の床、壁等に汚れや傷が付くのを防止するために用いられる脚立用カバーに関する。
【０００２】
【従来の技術】
一般に、室外で使用していた脚立は、土や埃等で汚れているため、その脚立をそのまま家内作業で使用すると、室内の床、壁等に汚れが付着してしまう。
【０００３】
しかし、室内で作業を行う度に脚立を拭いていたのでは、作業効率が非常に悪くなる。
【０００４】
そこで、従来では、脚立の支柱の下部を手袋（軍手）や布切れで覆って、室内作業に使用していた（以下、この技術を従来例１という）。
【０００５】
また、実用新案登録第３０８５８３６号公報には、開口部に伸縮性のゴム紐を設け、室内作業の際に使用される脚立や椅子による汚れを防止する汚れ防止カバーが提案されている。この汚れ防止カバーによれば、開口部に伸縮性のゴム紐を使用しているため、着脱が簡単であり、ゴムにより抜け落ちを防止できるとしている（以下、この技術を従来例２という）。
【０００６】
さらに、実用新案登録第３０５９０８２号公報には、図５に示すように、一対の並行な支柱Ｓに複数の踏桟Ｈが梯子状に設けられた脚立Ｋにおいて、脚立Ｋの支柱Ｓの周囲に被覆される断面略コ字状の脚立用カバーＣが提案されている。この従来の脚立用カバーＣによれば、フレキシブルなカバーを脚立Ｋの支柱Ｓに被せるようにしたので、脚立Ｋを持ち運びする際に器物を損傷することがなく、また脚立Ｋの保護にも役立つとしている（以下、この技術を従来例３という）。
【０００７】
【発明が解決しようとする課題】
従来例１では、脚立の支柱に手袋（軍手）や布切れを着脱するための作業が面倒であり、作業効率が悪い。
【０００８】
従来例２では、脚立を長期間使用していると、ゴム紐がだんだん緩くなり、カバーが支柱から外れてしまうおそれがある。
【０００９】
従来例３では、脚立の支柱の下部に取り付けられるものではないので、室内の床、壁等に汚れや傷が付くのを防止することはできない。
【００１０】
本発明は、上記課題を解決するためになされたものであり、脚立の支柱に簡単かつ短時間に着脱でき、長時間使用しても外れることなく確実に取り付けることができ、脚立の支柱の下部に取り付けて、室内の床、壁等に汚れや傷が付くのを防止できる脚立用カバーを提供することを目的とする。
【００１１】
【課題を解決するための手段】
本発明の脚立用カバーは、上部が開口され、前記支柱の下部が嵌合され収容されるカバー本体と、前記カバー本体の開口縁部に、開口側に突出して形成された変形可能な係止片と、を有し、前記係止片は、前記カバー本体内に前記支柱の下部を収容することにより、下側に湾曲して変形され前記支柱を係止することを特徴とするものである。
【００１２】
前記カバー本体は、水平方向に対して所定角度に傾斜して形成されていてもよい。
【００１３】
前記係止片の基端部は、その先端部よりも幅広に形成されていてもよい。
【００１４】
前記カバー本体の表面の全部又は一部に緩衝部材が取り付けられていてもよい。
【００１５】
前記カバー本体の底面に滑り防止部材が取り付けられていてもよい。
【００１６】
【発明の実施の形態】
以下、本発明の実施の形態について図面を参照して説明する。図１（Ａ）は本発明の第１の実施形態例に係る脚立用カバーを示す側面図、（Ｂ）はその平面図、（Ｃ）はその底面図である。
【００１７】
図１（Ａ）〜（Ｃ）に示すように、本発明の第１の実施形態例に係る脚立用カバーは、上部が開口され、支柱Ｓの下部を嵌合して収容するカバー本体１と、カバー本体１の開口縁部に、開口側に突出して形成された変形可能な係止片２とを有する。カバー本体１及び係止片２は一体に形成されていてもよく、別体に形成されていて接着剤等で両者を接着してもよい。
【００１８】
カバー本体１及び係止片２は、例えば弾力性の有するプラスチック等で作られている。カバー本体１は、支柱Ｓの下部がスムーズに挿入できるように、水平方向に対して所定角度θ（例えば７５度程度）に傾斜して形成されている（図１（Ａ）参照）。
【００１９】
カバー本体１の底面には、周囲の器物に損傷を与えないように所定の厚さの緩衝部材３が取り付けられている。緩衝部材３としては、例えばフェルト、不織布、織布、発泡シート、樹脂シート、スポンジ等が用いられる。
【００２０】
また、カバー本体１の底面には、ゴム等で作られた滑り防止部材４が所定間隔を隔てて点在して取り付けられている。
【００２１】
図２（Ａ）は本発明の第１の実施形態例に係る脚立用カバーに脚立の支柱Ｓを挿入した状態を示す側面図、（Ｂ）はその斜視図である。
【００２２】
図２（Ａ）及び（Ｂ）に示すように、本発明の第１の実施形態例に係る脚立用カバーを脚立の支柱Ｓに取り付ける場合には、カバー本体１内に支柱Ｓの下部を挿入して収容し、これと同時に係止片２は、下側に湾曲して変形され支柱Ｓを係止する。これによって、本発明の第１の実施形態例に係る脚立用カバーの取り付けが完了する。
【００２３】
また、本発明の第１の実施形態例に係る脚立用カバーを脚立の支柱Ｓから取り外す場合には、カバー本体１内から支柱Ｓの下部を抜き出す。
【００２４】
本発明の第１の実施形態例に係る脚立用カバーによれば、脚立の支柱Ｓをカバー本体１内に挿入するだけで取り付けることができ、また、取り外しも簡単に行うことができるので、作業効率が向上する。
【００２５】
また、係止片２によって支柱Ｓを係止しているので、長時間使用しても外れることなく確実に取り付けることができるとともに、支柱Ｓの大きさ（幅）がある程度異なる脚立に対しても、１つのカバーで適用できる。
【００２６】
さらに、本発明の第１の実施形態例に係る脚立用カバーを用いることにより、室内作業の際に脚立の支柱Ｓに取り付けて、室内の床、壁等に汚れや傷が付くのを防止できる。
【００２７】
図３（Ａ）は本発明の第２の実施形態例に係る脚立用カバーを示す平面図である。図３（Ａ）に示すように、第２の実施形態例では、係止片２の基端部が、その先端部よりも幅広に形成されている。このように構成することにより、係止片２の強度が向上する。
【００２８】
図３（Ｂ）は本発明の第３の実施形態例に係る脚立用カバーを示す平面図である。図３（Ｂ）に示すように、第３の実施形態例では、係止片２が複数（図３（Ｂ）の例では４つ）形成されている。このように構成することにより、脚立の支柱Ｓをより確実に係止することができる。
【００２９】
図４（Ａ）は本発明の第４の実施形態例に係る脚立用カバーを示す側面図、（Ｂ）は本発明の第４の実施形態例に係る脚立用カバーの変形例を示す側面図である。図４（Ａ）に示すように、第４の実施形態例では、緩衝部材３がカバー本体１の底面だけでなく側面にも形成されている。また、図４（Ｂ）に示すように、緩衝部材３がカバー本体１の両側面に形成されていてもよい。このように構成することにより、周囲の器物への損傷をより低減できる。
【００３０】
本発明は、上記実施の形態に限定されることはなく、特許請求の範囲に記載された技術的事項の範囲内において、種々の変更が可能である。
【００３１】
【発明の効果】
本発明によれば、次のような優れた効果を奏する。
【００３２】
（１）脚立の支柱をカバー本体内に挿入するだけで取り付けることができ、また、取り外しも簡単に行うことができるので、作業効率が向上する。
【００３３】
（２）取り付け時には、係止片によって支柱を係止しているので、長時間使用しても外れることなく確実に取り付けることができるとともに、支柱Ｓの大きさ（幅）がある程度異なる脚立に対しても、１つのカバーで適用できる。
【００３４】
（３）本発明の脚立用カバーを用いることにより、室内作業の際に脚立の支柱の下部に取り付けて、室内の床、壁等に汚れや傷が付くのを防止できる。
【図面の簡単な説明】
【図１】（Ａ）は本発明の第１の実施形態例に係る脚立用カバーを示す側面図、（Ｂ）はその平面図、（Ｃ）はその底面図である。
【図２】（Ａ）は本発明の第１の実施形態例に係る脚立用カバーに脚立の支柱を挿入した状態を示す側面図、（Ｂ）はその斜視図である。
【図３】（Ａ）は本発明の第２の実施形態例に係る脚立用カバーを示す平面図、（Ｂ）は本発明の第３の実施形態例に係る脚立用カバーを示す平面図である。
【図４】（Ａ）は本発明の第４の実施形態例に係る脚立用カバーを示す側面図、（Ｂ）は本発明の第４の実施形態例に係る脚立用カバーの変形例を示す側面図である。
【図５】従来の脚立用カバーを説明するための斜視図である。
【符号の説明】
１：カバー本体
２：係止片
３：緩衝部材
４：滑り防止部材
Ｓ：脚立の支柱
【図１】
2004076322.tif 000003
【図２】
2004076322.tif 000004
【図３】
2004076322.tif 000005
【図４】
2004076322.tif 000006
【図５】
2004076322.tif 000007